(57)【特許請求の範囲】
【請求項１】
車体（１）後部に連結ヒッチ（２）を介して上下揺動可能の作業フレーム（６）を装着し、この作業フレーム（６）には、ゲージホイル（７）と、ゲージホイル（７）より後方位置にあって畝法面に培土する前部ディスク（８）と、該前部ディスク（８）より後方位置にあって、畝法面間の溝底部を中耕するチゼル（９）と、チゼル（９）より後方位置に後部ディスク（１０）を設け、該後部ディスク（１０）の後方位置に後部培土板（１４）を設け、
連結ヒッチ（２）には、作業フレーム（６）とは別に固定の取付ブラケット（３）を設け、該取付ブラケット（３）の後部に施肥機（４）の施肥ホッパー（１１）を搭載し、該施肥ホッパー（１１）及び施肥ホッパー（１１）の繰出口（１２）を側面視で前部ディスク（８）と後部ディスク（１０）の間の上方に設け、
前記繰出口（１２）から繰り出される肥料を案内する施肥ホース（１３）を後下がり傾斜姿勢に設け、後部ディスク（１０）の培土位置近傍で、かつ、畝上面側に施肥する構成とし、
取付ブラケット（３）側にハンドル（２７）の回動により伸縮するリンク（２８）を連結し、該リンク（２８）の伸縮により、取付ブラケット（３）の側面視での角度及び作業フレーム（６）の前後方向の角度を調節可能に構成したことを特徴とする中耕除草培土機。
【請求項２】
前記作業フレーム（６）にソケット（４６）を構成し、該ソケット（４６）に対して取付アーム（４７）部を上側へ差替えることで、前記後部培土板（１４）を使用状態（Ａ）から不使用状態（Ｂ）に切替えるように構成したことを特徴とする請求項１記載の中耕除草培土機。
【発明の詳細な説明】
【技術分野】
【０００１】
この発明は、中耕除草培土機に関するものである。
【背景技術】
【０００２】
前部ディスクと後部ディスクとの間にチゼルを配置する中耕除草機の技術（例えば、特許文献１参照）が知られている。
【先行技術文献】
【特許文献】
【０００３】
【特許文献１】特開２０１０−１９３７７６号公報
【発明の概要】
【発明が解決しようとする課題】
【０００４】
本発明は、中耕除草培土機の中耕除草性能や施肥性能を良好にすることを課題とする。
【課題を解決するための手段】
【０００５】
請求項１に記載の発明は、車体（１）後部に連結ヒッチ（２）を介して上下揺動可能の作業フレーム（６）を装着し、この作業フレーム（６）には、ゲージホイル（７）と、ゲージホイル（７）より後方位置にあって畝法面に培土する前部ディスク（８）と、該前部ディスク（８）より後方位置にあって、畝法面間の溝底部を中耕するチゼル（９）と、チゼル（９）より後方位置に後部ディスク（１０）を設け、該後部ディスク（１０）の後方位置に後部培土板（１４）を設け、
連結ヒッチ（２）には、作業フレーム（６）とは別に固定の取付ブラケット（３）を設け、該取付ブラケット（３）の後部に施肥機（４）の施肥ホッパー（１１）を搭載し、該施肥ホッパー（１１）及び施肥ホッパー（１１）の繰出口（１２）を側面視で前部ディスク（８）と後部ディスク（１０）の間の上方に設け、
前記繰出口（１２）から繰り出される肥料を案内する施肥ホース（１３）を後下がり傾斜姿勢に設け、後部ディスク（１０）の培土位置近傍で、かつ、畝上面側に施肥する構成とし、
取付ブラケット（３）側にハンドル（２７）の回動により伸縮するリンク（２８）を連結し、該リンク（２８）の伸縮により、取付ブラケット（３）の側面視での角度及び作業フレーム（６）の前後方向の角度を調節可能に構成したことを特徴とする中耕除草培土機とする。
【０００６】
請求項２に記載の発明は、前記作業フレーム（６）にソケット（４６）を構成し、該ソケット（４６）に対して取付アーム（４７）部を上側へ差替えることで、前記後部培土板（１４）を使用状態（Ａ）から不使用状態（Ｂ）に切替えるように構成したことを特徴とする請求項１記載の中耕除草培土機とする。
【発明の効果】
【０００７】
請求項１に記載の発明は、圃場の凹凸により作業フレームは揺動するが、作業フレームとは異なる固定の取付けブラケットで施肥機を取付けるため、施肥機に揺動の影響が少なく、肥料を安定して供給することができる。また、施肥機の重みで作業フレーム側に重心が傾くため、ディスクやチゼルの作業を良好に行うことができる。施肥位置の漏下、乃至流下等による変動を少くして、肥培効果の適した畝法面位置に効果的に施肥することができ、培土によって覆われた肥料の雨水による流失等を少なくして、安定した肥効栽培を行うことができる。また、取付ブラケット（３）の側面視での角度及び作業フレーム（６）の前後方向の角度を適切に調整できる。
【０００８】
請求項２に記載の発明は、後部培土板（１４）を不使用状態（Ｂ）に適宜切替えることができる。
【図面の簡単な説明】
【０００９】
【図１】全体側面図と、作業状態を示す背面図。
【図２】中耕除草培土機の側面図。
【図３】中耕除草培土機の平面配置図。
【図４】後部培土機を装着した場合の側面図。
【図５】中耕除草培土機の平面図。
【発明を実施するための形態】
【００１０】
図面に基づいて、中耕除草培土作業機は、乗用四輪走行形態のトラクタ車体１の後側に装着して、作物Ｇの植成される各畝Ｆ条間の溝内に沿って推進しながら、各畝法面Ｅや、溝底部Ｄを中耕除草しながら、畝法面Ｅを培土成形するものである。トラクタ車体１は、中央部に運転席１６を配置し、この運転フロア１７の前側のダッシュボード１８上にステアリングハンドル１９を有し、前部ボンネット２０下側に搭載のエンジン２１によって、前輪２２、及び後輪２３を駆動して走行し、前記ハンドル１９によって前輪２３を操向することができる。
【００１１】
この車体１の後端には各種作業機を着脱可能に連結できるリヤヒッチ２４を有して、この中耕除草培土機の前端部に位置する連結ヒッチ２を、前記リヤヒッチ２４に連結することができる。この連結ヒッチ２は、取付ブラケット３の下端部を横方向のヒンジピン２５周りに上下回動自在に連結し、この取付ブラケット３上のマスト２６との間にハンドル２７回動によって伸縮されるトップリンク２８を設けて、このトップリンク２８の伸縮調節によって取付ブラケット３の側面視連結角度を調節することができる。
【００１２】
前記取付ブラケット３は、連結ヒッチ２４の後方上部に固定状態で構成されて、この後端部には左右横方向に亘るクロスバー２９を取付け、このクロスバー２９上に施肥機４を取付ける。施肥機４は、上側の施肥ホッパー１１と、この施肥ホッパー１１の粉粒剤肥料を繰出す繰出ロール等を有する繰出装置３０、この繰出口１２に繰出される肥料を流下案内する施肥ホース１３等から構成される。各畝条間の溝部に沿って配置の培土機構部に施肥することができる。この施肥機４の繰出装置３０の繰出ロール等を駆動する連動機構は、車体１側のＰＴＯ軸から連動する形態としている（図面省略）。あるいは独立の駆動モータで駆動する構成でも良い。
【００１３】
前記取付ブラケット３の後部左右外側部には、上下一対の平行リンク５を、上下回動自在に設けて、この平行リンク５の後端に作業フレーム６前端のマスト３１を連結し、この作業フレーム６が上下に揺動するとき平行状態を維持して揺動される形態としている。この作業フレーム６の前後方向の角度は、前記ハンドル２７によるトップリンク２８の伸縮によって調節することができる。取付ブラケット３の後端部と作業フレーム６との間にはダンパスプリング３２が設けられて、この作業フレーム６の上下揺動を緩衝することができる。
【００１４】
ここにおいて、車体１後部に連結ヒッチ２を介して取付ける取付ブラケット３上に施肥機４を装着し、この取付ブラケット３に対して平行リンク５を介して上下揺動可能の作業フレーム６を装着し、この作業フレーム６には、前端部にゲージホイル７を配置し、この後側部に畝法面Ｅ下部に培土する前部ディスク８と、この畝法面Ｅ間の溝底部Ｄを中耕するチゼル９と、この畝法面Ｅ上部に培土する後部ディスク１０、乃至後部培土板１４を配置した中耕除草培土機を構成する。
【００１５】
トラクタ車体１の後部の連結ヒッチ２に中耕除草培土機の取付ブラケット３を取付ける。
この取付ブラケット３の後端部上には施肥機４が装着されていると共に、取付ブラケット３の下部には、平行リンク５を介して上下揺動可能の作業フレーム６が、各作物畝条法面間の溝底方向に沿った状態に設定されて、ゲージホイル７や、前部ディスク８、チゼル９、及び後部ディスク１０等の作業抵抗を受けて、平行状態を維持して上下に揺動しながら、前部ディスク８によって畝法面Ｅの下部を培土する。
【００１６】
この前部ディスク８によって培土された跡の溝底面は、チゼル９によって掻き起されて後部ディスク１０、又は後部培土板１４によって畝法面上部の培土が行われる。この後部ディスク１０、又は後部培土板１４による培土は、前部ディスク８による培土位置よりも高位置の畝法面Ｅ域に形成されて、これら前部ディスク８と後部ディスク１０又は後部培土板１４とによる二段階の培土作用によって畝法面Ｅの全高さ域の培土が行われる。
【００１７】
前部ディスク８によって培土された溝底部Ｄにはチゼル９による耕耘除草作用が行われて砕土が多くなるから、これを後部ディスク１０、又は後部培土板１４によって畝法面Ｅの高位置へ跳ね上げて培土作用を行い易くする。しかも、この後部ディスク１０、又は後部培土板１４による上部域培土は、下部域培土層の上段部に支持されて、崩れ落ち難い状態に法面に成形維持される。
【００１８】
又、前記取付ブラケット３の後端部を平行リンク５よりも後側部に突出させて、この取付ブラケット３の後端上部に前記施肥機４の施肥ホッパー１１を搭載して、前記施肥機４の繰出口１２を、下方の前部ディスク８と後部ディスク１０との間の前後方向のカルチ間隔部の上方位置に形成して、前記繰出口１２に連結の施肥ホース１３を垂下させて前記後部ディスク１０、又は後部培土板１４による培土位置に施肥案内するように構成する。
【００１９】
前記のように畝法面Ｅの培土は、前部ディスク８の中耕除草作業による培土を法面域の比較的溝底部に近い下部域において行い、後部ディスク１０、又は後部培土板１４による上部域培土を、前記下部域培土層上段側に積み上げるようにして二段階の培土成形の形態として安定成形するものであるが、後部デイスク１０、又は後部培土板１４による上部域の培土時に、施肥機４の繰出口１２から繰出される肥料を、施肥ホース１３により案内して前記上部域の培土層の下側部に施用して、この施肥を培土層で被覆する形態となる。このような上部域の培土時に施肥された肥料が培土直前に、又はこの上部域培土と同時に畝法面に沿って流れ落ちたり、崩れ落ちようとしても、前部ディスク８等によって培土された下部域培土層の上端面部に受け留められて、施肥位置を流下し難く維持されて、施肥効果を有効とする肥培に適した畝法面域に施肥培土する。
【００２０】
更には、前記作業フレーム６の後端部には、前記後部ディスク１０による培土を押圧して法面成形する後部培土板１４を使用可能に装着する。
前記のように後部ディスク１０を装着して中耕除草培土作業を行うとき、この後部ディスク１０によって跳ね上げられた畝法面は、前部ディスク８によって形成される法面に凹凸面を生ずるが、このとき、後部ディスク１０の後側に後部培土板１４を装着して培土成形することによって、前記前部ディスク８や後部ディスク１０等に形成される凹凸面の激しい畝法面が滑面な法面に形成されて、法面の崩れや流下等を減少し、雑草の生長し難い中耕除草状態に培土することができる。
【００２１】
前記作業フレーム６は、各畝Ｆ条間の溝底部Ｄに対向する毎の配置間隔にして中央部のセンタフレーム部と、この左右両側部のサイドフレーム部との三連形態に形成して、これら各作業フレーム６相互間は、左右横方向のクロスフレーム３３、３４によって一体的に連結構成されている。各作業フレーム６の下側に沿って培土用の前部ディスク８や、後部ディスク１０、チゼル９等が配置される。
【００２２】
各作業フレーム６の下側には、ブラケット３５を介して下部フレーム３６を取付け、この下部フレーム３６にゲージホイル７、及び前部ディスク８、チゼル９等を装着している。このうちゲージホイル７は、外側のサイドフレーム６部に対応してのみ配置し、センタフレーム６部に対向する位置には配置していない。ゲージホイル７は、支持リンク３７の上部にハンドル３８を有して、このハンドル３８を操作することによって、ゲージホイル７の接地支持高さを調節することができる。
【００２３】
各下部フレーム３６の下側に支持アーム４０によってディスク軸３９周りに回転自在に支持する前部ディスク８は、皿形円盤状の形態で、皿形内曲面を外側に向けた、左右一対の形態として、左右対称状に配置し、前端縁を平面視でハ字状にして相互に接近し、後端縁を左右外側へ離間させるように開き傾斜させて軸支する。この前部ディスク８の下端縁を溝底部Ｄに接地させて推進する毎に、接地摩擦により回転して、主として溝底土壌面を削り、削り取った土壌を左右外側部の畝法面Ｅ部へ跳ね上げて培土する。これら左右一対の前部ディスク８の前記ハ字状の開きは角度は比較的狭く設定して、左右両側の畝法面Ｅに対する倍高さを略半分程度の高さ域に設定している。この前部ディスク８の回転上周面位置には、スクレーパー４１を摺接させて、付回りする削取土壌や、除草等を掻取リ掃除する形態である。
【００２４】
前記前部ディスク８の後側に配置のチゼル９は、下部フレーム３６の後端部にホルダ４２によって取付けられ、主として溝底部の土壌面を浅く掻き起して、除草作用することもできる。チゼル９は、前部中央部と、この後側部で左右両側部に位置する三点位置に配置の三本爪配置の形態としている。
【００２５】
前記後部ディスク１０は、作業フレーム６の後部に取付けられる支持アーム４２を介してディスク軸４３回りに回転自在に設けられるもので、前部ディスク８と略同形態に構成される。この後部ディスク１０が前部ディスク８と異なるのは、外周縁部に凹凸縁部４４を形成して、土壌面乃至除草の削取を行い易くし、培土の跳上げ作用を行い易い形成とし、又、平面ハ字形態の左右後部ディスク１０の開き角度を、前部ディスク８の開き角度よりも大きく設定して、この後部ディスク１０による培土時の跳ね上げ高さを高くするように設定している。４５はスクレーパーである。
【００２６】
このようにして、前部ディスク８によって削取培土された跡の溝底部を、チゼル９で適宜深さに中耕して、この土壌を後部ディスク１０によってより畝法面Ｅの高位置へ跳ね上げて培土するものであり、前記前部ディスク８によって培土された畝法面Ｅの低部培土域の上側部に、後部ディスク１０による上部培土域の培土が行われる。後部培土板１４は、図４のように前記後部ディスク１０に代えて取付ものである。ディスク８、１０は、土壌面との摩擦抵抗によって回転されて、土壌面を浅く削り、及び除草しながら、これら削り取った土壌を左右外側の畝法面Ｅ側へ培土するものであるが、この培土板は、すきへら形態の培土板（土板）を有して、畝法面に培土した土壌を押圧して畝法面に塗り付けるようにして滑面な畝法面を成形する形態である。
【００２７】
後部培土板１４は、作業フレーム６のソケット４６に対して取付アーム４７部を上側へ差替えて使用状態Ａから不使用状態Ｂに切替えるように構成している。
前記のようにチゼル９の後側には、各作業フレーム６部に、後部ディスク１０を取付て培土作業したり、後部ディスク１０と後部培土板１４を取付て培土作業したりすることができるが、前記取付ブラケット３上に施肥機４を装着して、中耕除草作業と同時に畝法面Ｅに対して施肥作業を行うときは、前記取付ブラケット３の上方に搭載の施肥機４の各施肥繰出口１２から垂下する施肥ホース１３の吐出口４８を後部ディスク１０の外側面と、これに対向する畝法面Ｅとの間隔部位置にのぞませて、施肥ホース１３から吐出される肥料を、畝法面Ｅと、これに培土する培土層との間に施用するものである。
【００２８】
前記施肥機４は、各作業フレーム６の上方部に位置して支持フレーム４９上端部に高位置に支持して取付るが、前部ディスク８と後部ディスク１０との間の前後間隔部上方に配置し、施肥ホース１３を左右の後部ディスク１０の外側部に対向するように各別にのぞませて、各々所定量の施肥量の施肥量を吐出施用するものである。このため、これら左右一対の後部ディスク１０毎にのぞむ各施肥ホース１３は、左右二本配置の形態となるが、各施肥ホース１３毎に繰出口１２及び繰出装置３０を構成するもよく、又、一箇所の繰出口１２から分岐して左右各別の施肥ホース１３に流下案内させる形態とすることもできる。
【符号の説明】
【００２９】
１    車体
２    連結ヒッチ
３    取付ブラケット
４    施肥機
５    平行リンク
６    作業フレーム
７    ゲージホイル
８    前部ディスク
９    チゼル
１０    後部ディスク
１１    施肥ホッパー
１２    繰出口
１３    施肥ホース
１４    後部培土板
２７ ハンドル
２８ リンク
４６ ソケット
４７ 取付アーム
【図１】
0005879860.tif 000002
【図２】
0005879860.tif 000003
【図３】
0005879860.tif 000004
【図４】
0005879860.tif 000005
【図５】
0005879860.tif 000006